(57)【要約】【課題】            本発明は、患者をベッドからストレッチャーに、さらにストレッチャーからベッドに簡単に載せかえることができるコンパクトなストレッチャーを提供すること。【解決手段】        本発明は、走行式可動リフトを有するストレッチャーであり、（１）ストレッチャーは、マットＡ及びマットＢの少なくとも２つに分離されたマットと、マットＡとマットＢの間に走行式可動リフトが走行移動可能な隙間を有し、（２）走行式可動リフトは、特定の構成としたことを特徴とする走行式可動リフトを有するストレッチャーを提供すること。【選択図】          図１
2005192813.tif 000002
【特許請求の範囲】
【請求項１】
走行式可動リフトを有するストレッチャーであり、
（１）ストレッチャーは、
マットＡ及びマットＢの少なくとも２つに分離されたマットを有し、
マットＡとマットＢの間に走行式可動リフトが走行移動可能な隙間を有し、
車輪が取り付けられて走行移動可能に形成された構成であり、
（２）走行式可動リフトは、
車輪が取り付けられて走行移動可能に形成されたベース部と、
ベース部の上部に立設された支柱と、
支柱の上端部に取り付けたアームと、
アーム先端部に、人を持ち上げ、吊り下げ、降ろす手段を有し、
アームは、アーム先端が起伏可能になるようにアーム基端部を支柱の上端部に取り付けられ、
アームを起伏動作させるための駆動手段を有し、
マットＡとマットＢの間に設けられた隙間を走行移動可能とする構成としたことを特徴とする走行式可動リフトを有するストレッチャー。
【請求項２】
走行式可動リフトは、
支柱が屈曲部を有し、
支柱の上端部が支柱の鉛直軸心よりずれるように配置され、
アームがアーム基端部とアーム先端部の間で鉛直軸心と交差することを特徴とした請求項１に記載の走行式可動リフトを有するストレッチャー。
【請求項３】
走行式可動リフトは、
支柱がＳ字型支柱であることを特徴とする請求項２に記載の走行式可動リフトを有するストレッチャー。
【請求項４】
走行式可動リフトは、
ベース部の後部が、操作側の側面より出ないことを特徴とする請求項１〜３のいずれか１項に記載の走行式可動リフトを有するストレッチャー。
【発明の詳細な説明】
【技術分野】
【０００１】
本発明は、患者、療養者、老齢者又は介護を要する人を、ベッドなどから持ち上げ、吊り下げて、ストレッチャーに移動させる手段を設けた走行式可動リフトを有するストレッチャーに関する。
【背景技術】
【０００２】
救急車や病室のベッドから移送用ベッドに、又は車椅子からベッドに患者や老齢者を載せかえる手段が検討されている。
例えば、特許文献１には、横臥した患者の側方に運転席を設け狭い通路でも走行可能とした自走式患者搬送車が開示されている。
特許文献２には、長期療養者や老人を持ち上げてベッドと付帯設備との間で移載させるようにしたベッド取付型介護リフトであって、ベッドのボード近傍の床面に配置すると共に、少なくともベッドサイド側に突出する突出部を有する基体と、この突出部に固定すると共に、ベッド長手方向に伸縮調節可能に構成したベース部とを有し、このベース部に立設した支柱と、支柱上端側に基端部を起伏可能に取り付けたアームとを有し、このアームを起伏動作させるための駆動手段を有し、前記アーム先端に、長期療養者や老人を持ち上げ、吊り下げる吊り下げ手段を設ける構成としたことを特徴とするベッド取付型介護リフトが開示されている。
特許文献３には、長期療養者や老人を持ち上げてベッドと付帯設備との間で移載させるようにしたベッド取付型介護リフトであって、ベッドの基部フレームに、ベッド長手方向に移動可能に装着したベース部とを有し、このベース部に立設した支柱と、支柱上端側に基端部を起伏可能に取り付けたアームとを有し、このアームを起伏動作させるための駆動手段を有し、前記アーム先端に、長期療養者や老人を持ち上げ、吊り下げる吊り下げ手段を設ける構成としたことを特徴とするベッド取付型介護リフトが開示されている。
【０００３】
また、介護用リフトとしては、特許文献４には、ベッドにおける側面からボトム下方に差し入れ可能に構成した台車と、この台車に立設した支柱と、支柱上端側に基端部を回動可能に取り付けると共に、昇降手段により、長期療養者や老人を吊上げ下げする吊下手段を設けた先端部を昇降させるようにしたブームとを有し、前記台車は、一端側に第１の車輪と他端側に第１車輪に比較して大径の第２の車輪を装着したベースフレームを有し、ベースフレームの前記第２車輪寄りに設けた支柱取付部とを有し、この支柱取付部は、前記支柱を鉛直軸回りに回動可能に保持し、長期療養者や老人を吊り下げた状態で移動させる際に、支柱を回転させてブーム先端の吊下手段をベースフレーム他端側の第２車輪寄り側上方にもたらすようにしたことを特徴とする支柱回転型走行介護リフトが開示されている。さらに特許文献５には、リフトアームを旋回自在に支持する支柱に、ベッド側に配置するベッド側脚部と、ベッドから外側に突出する状態で床面に載置する外側脚部とを備えてある介護用リフトであって、前記外側脚部を、全長にわたって床面に載置するように、かつ、横断面視での高さが横幅より小の偏平形状に形成してある介護用リフトが開示されている。
【０００４】
【特許文献１】特開２０００−２７１１７１号公報
【特許文献２】特開２００２−１９１６４６号公報
【特許文献３】特開２００２−２６３１４８号公報
【特許文献４】特開２００１−３１４４５８号公報
【特許文献５】特開平１０−２８６２８９号公報
【発明の開示】
【発明が解決しようとする課題】
【０００５】
救急車や病室のベッドから、手術台や処置室など病院内で患者を移動させる場合、通常手押しのストレッチャーで行われている。移送のために、患者をベッドからストレッチャーへ、さらにストレッチャーからベッドへ載せかえる必要があり、患者を数人の看護士で同時に持ち上げて乗せ変える必要があり、重い患者の時には看護士には特に大きな負担となっていた。
【０００６】
本発明は、患者をベッドからストレッチャーに、さらにストレッチャーからベッドに簡単に載せかえることができるコンパクトなストレッチャーを提供することを目的とした。
【課題を解決するための手段】
【０００７】
本発明は、走行式可動リフトを有するストレッチャーであり、
（１）ストレッチャーは、
・マットＡ及びマットＢの少なくとも２つに分離されたマットを有し、
・マットＡとマットＢの間に走行式可動リフトが走行移動可能な隙間を有し、
・車輪が取り付けられて走行移動可能に形成された構成であり、
（２）走行式可動リフトは、
・車輪が取り付けられて走行移動可能に形成されたベース部と、
・ベース部の上部に立設された支柱と、
・支柱の上端部に取り付けたアームと、
・アーム先端部に、人を持ち上げ、吊り下げ、降ろす手段を有し、
・アームは、アーム先端部が起伏可能になるようにアーム基端部を支柱の上端部に取り付けられ、
・アームを起伏動作させるための駆動手段を有し、
・マットのマットＡとマットＢの間に設けられた隙間を走行移動可能とする構成としたことを特徴とする走行式可動リフトを有するストレッチャーを提供することである。
【０００８】
本発明の走行式可動リフトを有するストレッチャーの好ましい態様を以下に示す。
ストレッチャーは、マットＡ及びマットＢの少なくとも２つに分離されたマットを支持し、かつ車輪が取り付けられている支持部を有することが好ましい。
走行式可動リフトの支柱は屈曲部を有し、支柱の上端部が支柱の鉛直軸心よりずれるように配置されている、さらに支柱の上端部が支柱の鉛直軸心より捜査側にずれるように配置されていることが好ましい。
走行式可動リフトのアームは、アーム基端部とアーム先端部の間で鉛直軸心と交差することが好ましい。
走行式可動リフトの支柱は、Ｓ字型支柱であることが好ましい。
走行式可動リフトのベース部の後部は操作側の側面より出ないことが好ましい。
走行式可動リフトは、ストレッチャーに連結又はケイ止（例えば、掛止、係止、繋止など）するようにしたことが好ましい。
走行式可動リフトがストレッチャーに連結又はケイ止されている場合に、走行式可動リフトのベース部の前部及び後部は、ストレッチャーの側面からはみださないことが好ましい。
マットＡとマットＢの長さの割合は、（マットＡの長さ）／（マットＢの長さ）が３／１〜１／３の範囲が好ましい。
【発明の効果】
【０００９】
本発明の走行式可動リフトを有するストレッチャーは、（１）マットを上下に分割し、マットＡとマットＢの間で、走行式可動リフトを走行可能にしたこと、さらに（２）支柱に屈曲部を設け、支柱を吊り下げる患者から遠ざけ、かつアームを起伏動作させるための駆動手段を吊り下げる患者から遠ざける工夫を行ったため、走行式可動リフトを有するストレッチャーがコンパクトになり、かつ患者を吊り下げる空間が広がり、患者に圧迫感を感じさせない。
また走行式可動リフトのベース部が、介護士や看護士などの操作を行う側（側部）に、はみ出さないような構成をとるため、患者のベッドとストレッチャー間の移送時に、ベース部に足を引っ掛ける心配がなく、安全に作業ができる。
さらに走行式可動リフトがストレッチャーに固定し、固定時にベース部が、ストレッチャーよりはみ出さないような構成をとるため、ストレッチャー移送作業が安全にでき、狭い通路でも容易に移送できる。
【発明を実施するための最良の形態】
【００１０】
以下に、本発明の実施の形態を図面により詳細に説明する。ただし、本発明は、これらの実施の形態に限定されるものではない。
【００１１】
本発明の走行式可動リフトを有するストレッチャーについて、一つの実施の形態を示し、図面に基づいて説明する。
本発明の走行式可動リフトを有するストレッチャーの一実施形態を図１〜図４に示す。
図１には、走行式可動リフトを有するストレッチャー５１の正面図を示し、走行式可動リフト３１とストレッチャー１で構成され、ストレッチャー１は、介護者などのリフト操作を行う側面６１であり、患者のベッドを配置する側面６２である。
【００１２】
図２はストレッチャー１の側面図であり、図３はストレッチャー１の平面図を示す。
ストレッチャー１は、側部フレーム６の上部にリング枠４及びリング枠５を有し、リング枠４にはマットＡ２が設けられ、リング枠５にはマットＢ３が設けられている。側部フレーム６の下部には、前部車輪７及び後部車輪８が設けられている。リング枠４の側部に、ストレッチャー１と走行式可動リフト３１を連結又はケシ止するための連結部１４を設けている。マットはマットＡ２及びマットＢ３の２つに分割され、マットＡ２及びマットＢ３の間は、走行式可動リフト３１が走行可能な隙間１５が設けられている。
【００１３】
ストレッチャーの架台は、操作側の側部フレーム６ａ及びベッド側の側部フレーム６ｂと、上部横フレーム９及び下部横フレーム１０で構成されている。
図２において、ストレッチャーの支持部は、ストレッチャーの架台である側部フレーム６ａ、側部フレーム６ｂ、上部横フレーム９及び下部横フレーム１０とリング枠４及びリング枠５で示されている。
ストレッチャー１において、走行式可動リフト３１が走行可能な部分（長さ）を矢印１６で示している。マットＡ２及びマットＢ３の隙間の幅を矢印１７で示している。
【００１４】
ストレッチャーは、マットＡ及びマットＢに分割されるマットを有し、車輪が取り付けられて走行移動可能になっており、さらにマットと車輪とを設ける支持部を有している。支持部は、マット上の人や機器の重量を支えることが可能な構造や部材であればよく、構造や部材は適宜選択して用いることができる。支持部は、円状、楕円状、正方形、長方形、Ｈ状などの断面を有する構造の棒状やリング状のなどの部材を用いることが出来る。
車輪は、構造や部材は適宜選択して用いることができ、さらにロックできる物を用いることが出来る。
【００１５】
連結部１４は、ストレッチャー１に設ける場所としては、走行式可動リフトをストレッチャーに連結又はケイ止出来ればよく、マットやフレームなどの支持部など他の場所に設けることが出来る。
【００１６】
マットは、人の体重を支えることが可能な構造や部材であればよく、構造や部材は適宜選択して用いることができる。マットは、一般的なスポンジ構造、バネ構造、天然繊維や合成繊維などのマットなどの他に、パイプ、棒、板、ばね、テープなどを用いたフレームや板状などの構造のものも含まれる。
マットは、マットの上部に別のマット、緩衝材、シーツなどを載せることが出来る。
マットＡとマットＢの長さの割合は、（マットＡの長さ）／（マットＢの長さ）が３／１〜１／３の範囲が好ましく、さらに３／１〜１／１の範囲が好ましく、特に２／１〜１／１の範囲が好ましい。特に、マットＡ及びマットＢの隙間は、ストレッチャーを利用する人の太もも部分に設けることが好ましい。
マットの高さは、適宜設定することができる。
【００１７】
マットＡ及びマットＢの間の隙間は、マットＡ及びマットＢの間を走行式可動リフトが走行可能な幅であればよく、用いる走行式可動リフトにより、さらに走行式可動リフトの支柱により、隙間の幅は適宜設定することができる。
隙間の幅は、好ましくは１００ｍｍ以下、さらに好ましくは８０ｍｍ以下、より好ましくは６０ｍｍ以下、特に好ましくは５０ｍｍ以下が好ましく、また好ましくは２０〜１００ｍｍ、さらに好ましくは２０〜８０ｍｍ、より好ましくは２０〜６０ｍｍ、特に好ましくは２０〜５０ｍｍが好ましい。
マットＡ及び／又はマットＢは、隙間部分がゴム、スポンジなどの柔軟性又は緩衝性の材料又は構造を有する場合には、隙間の幅は、走行式可動リフトの支柱よりも狭く設定することができる。
マットＡには頭側又は上半身側を、マットＢには足側又は下半身側を乗せることが好ましい。
マットＡ及び／又はマットＢは、２つ以上に分割されたもの、一部に切欠部を有しているものなどを用いることが出来る。
【００１８】
図４は、走行式可動リフト３１の側面図を示し、図５は、走行式可動リフト３１の正面図を示す。
走行式可動リフト３１は、車輪３３が取り付けられて走行移動可能に形成されたベース部３２と、
ベース部３２の上面に立設された支柱３４と、
支柱３４の上端部３４ｂに取り付けられたアーム３５と、
アーム先端部３５ａに、人を持ち上げ、吊り下げ、降ろす手段であるフック３７を有するハンガー３６を設けている。
アーム３５は、アーム先端３５ａが起伏可能になるようにアーム基端部３５ｂを支柱３４の上端側３４ａに取り付けられている。
アーム３５を起伏動作させるための駆動手段であるアクチュエーター３８は、支柱３４とアーム３５に接続されている。
支柱３４はマットＡ２とマットＢ３の隙間を走行移動可能に設計されている。
支柱３４は、２つの屈曲部３４ｃを有して、Ｓ字状に形成されている。支柱の上端部３４ａは支柱の鉛直軸心Ａ上になく、鉛直軸心Ａよりずれた位置に有する。
支柱は屈曲部を少なくとも１つ有することが好ましい。
アーム３５は、先端部３５ａと基端部３５ｂの間で、支柱の鉛直軸心Ａと交差している。
【００１９】
ベース部３２の後部３２ａは、走行式可動リフト３１がストレッチャー１の隙間１５を走行移動しても、ストレッチャー１の側面６１から出ないように設計されていることが好ましい。
走行式可動リフト３１がストレッチャー１に連結又はケイ止されている時に、ベース部３２の前部３２ｂは、ストレッチャー１の側面６２から、さらにベース部３２の後部３２ａは、ストレッチャー１の側面６１から、出ないように設計されていることが好ましい。
支柱にはリフトを移動、操作するためのハンドル４０を設けている。ハンドル４０は、ストレッチャーマットの上面よりも高い位置に設けることが好ましい。
【００２０】
ベース部の前部から後部までの長さは、適宜選択することができるが、操作側の側部フレーム内側からベッド側の側部フレームの内側までの長さと同じ長さか、又は短いことが好ましい。
ベース部の高さは、適宜選択することができるが、側部フレームより下方にすることが好ましい。
【００２１】
支柱は、ベース部に対して、上下方向及び／又は左右方向（回転）に動くように設けることができる。
支柱は、円状、楕円状、正方形、長方形、Ｈ状などの断面を有するものを用いることが出来る。
支柱は、伸縮可能なものでも、伸縮しないものでも用いることができる。
【００２２】
アームは、伸縮可能なものでも、伸縮しないものでも用いることができる。
アームは、支柱に対して、上下方向及び／又は左右方向（回転）に動くように設けることができる。
【００２３】
本発明の走行式可動リフトを有するストレッチャーについて、構成する各部品は、構造や部材は適宜選択して用いることができる。
【００２４】
駆動手段は、支柱の最も下部の屈曲部より上部で接続させることが好ましく、鉛直軸心Ａよりずれた位置に接続させることが好ましい。
駆動手段は、アームと鉛直軸心Ａの交差部近傍に接続することが好ましく、アームと鉛直軸心Ａの交差部の基端部側近傍に接続することが好ましい。
アーム３５は、伸縮可能なアームを用いることが好ましい。
【００２５】
駆動手段としては、支柱とアームに接続して、駆動することによりアームを上下させ、る物であればよく、例えば電気又は手動の油圧又はガス圧（空気など）のシリンダー機構を有するもの、電気又は手動の油圧又はガス圧（空気など）のジャッキ機構を有するもの、電気又は手動のギア機構を有するもの、電気又は手動のワイヤの巻き取り機構を有するもの、などを用いることができる。
【００２６】
人を持ち上げ、吊り下げ、降ろす手段は、アーム先端部に設けて、人を持ち上げ、吊り下げ、降ろす機構を有するこのであればよく、例えば、フックなどの取り付け部材を有するハンガーなどを用いることができる。フックとしては、回転や伸縮が可能なものを用いることが出来る。
フックにはさらに、人体を持ち上げることが可能なシートを設けることができる。シートは、分割可能なシートやフレームを有するシートなどを用いることができる。シートは、人体を持ち上げる場合、人体を寝かせた状態、座ったままの状態でも可能なシートを用いることができる。
【００２７】
走行式可動リフトは、ストレッチャーに連結又はケイ止（例えば、掛止、係止、繋止など）するようにしてもよい。
走行式可動リフトは、走行式可動リフト又は走行式可動リフトの車輪が、床より浮かせるように又は接地しないように、ストレッチャーに連結又はケイ止（例えば、掛止、係止、繋止など）するようにしてもよく、容易に安全に移動できるために好ましい。
【図面の簡単な説明】
【００２８】
【図１】本発明の走行式可動リフトを有するストレッチャーの一実施形態の正面図である。
【図２】ストレッチャーの側面図である。
【図３】ストレッチャーの平面図である。
【図４】走行式可動リフトの側面図である。
【図５】走行式可動リフトの正面図である。
【符号の説明】
【００２９】
１：ストレッチャー、
２：マットＡ、
３：マットＢ、
４，５：リング枠、
６：側部フレーム、
６ａ：操作側の側部フレーム、
６ｂ：ベッド側の側部フレーム、
７，８：車輪、
９：上部横フレーム、
１０：下部横フレーム、
１４：連結部、
１５：隙間、
１６：走行式可動リフト３１が走行可能な部分、
３１：走行式可動リフト、
３２：ベース部、
３２ａ：ベース部後部、
３２ｂ：ベース部前部、
３３：車輪、
３４：支柱、
３４ａ：支柱の上端部、
３４ｂ：支柱の屈曲部、
３５：アーム、
３５ａ：アーム先端部、
３５ｂ：アーム基端部、
３７：人を持ち上げ、吊り下げ、降ろす手段、
３８：アームを起伏動作させるための駆動手段、
４０：ハンドル、
５１：走行式可動リフトを有するストレッチャー、
６１：操作側の側面、
６２：ベッド側の側面。
【図１】
2005192813.tif 000003
【図２】
2005192813.tif 000004
【図３】
2005192813.tif 000005
【図４】
2005192813.tif 000006
【図５】
2005192813.tif 000007